(57)【要約】【課題】海底を耕耘しようとするとき多様な土質に対応して耕耘深度が保てず、異物等に引掛り危険な点。【解決手段】耕耘掻き歯に所謂円盤ハローを用いこれをハの字状に配置し、各々自由に回転するよう設置した上で頂点部分を牽引曳航することで、小さな牽引力で効率よく耕耘でき、各々の円盤の進行方向に対する地盤との接触角度が変わり、抵抗が変化することにより耕耘深度を調整でき、また、岩、塵埃等異物を乗り越え引っ掛かることがなく加えて、船舶等で曳航する時水深の変化で上下方向での牽引する角度が変わっても持ち上がりがなく地盤に対し水平に動き、効率よく危険性もなく耕耘できる。  【選択図】図１
0003107436.tif 000002
【実用新案登録請求の範囲】
【請求項１】
砕土耕耘装置である円盤ハローにおいて、牽引の上下方向の角度を可変としかつ、適度な自重を持たせることにより、海底の土壌を、船舶等で牽引し耕耘することを可能としたことを特徴とする潟用海底耕耘装置。
【請求項２】
請求項１記載の潟用海底耕耘装置において、円盤ハローを複数枚、牽引箇所を頂点とするハの字型に配置し、その配置の成す内角を変えることにより、牽引に要する牽引力及び耕耘深度を調整することを可能としたことを特徴とする潟用海底耕耘装置。
【請求項３】
請求項１及び請求項２記載の潟用海底耕耘装置において、砕土耕耘刃を円盤ハロー複数枚で構成し、各々の円盤の凹部の曲率を適度に選択することにより、超軟弱な潟土海底でも適度な耕耘深度に保ち、沈み込みをなくしたことを特徴とする潟用海底耕耘装置。
【考案の詳細な説明】
【技術分野】
【０００１】
本考案は、船舶等で牽引し、海底の土壌を土質にかかわらず容易に効率よく耕耘出来る潟用海底耕耘装置に関するものである。
【背景技術】
【０００２】
近年、閉鎖的海域において、周辺の経済環境、社会環境の変化、自然環境の変化等により、有機性浮泥の堆積等による海底土壌の悪化が問題となり、これを改善する方法として海底土壌を耕耘することにより、改善効果があることが知られている。
【０００３】
しかし、海底土壌は超軟弱な土質から岩盤まで多様であり又特に土壌の悪化が懸念される閉鎖水域の海底には塵埃等異物も多い、従って海底を耕耘するには多様な土壌に対応出来且つ異物に引っかかりにくい構造が必要である。
【０００４】
従来、カイゲタ、ジョレンなどと称する海底用漁具を改造した熊手様のものを漁船により曳航し海底を耕耘することが行われているが、掻き面積が少なく耕耘深度も浅い、これらを大きくして効果を向上させようとすると多大な牽引力が必要となる。また軟弱な地盤では沈み込み、固い地盤では食い込まず適度な耕耘深度を維持することが困難である。加えて岩、塵埃等異物に引っ掛かりやすく器具全体が反転し耕耘出来なくなるか、破損することも多く、曳航する船舶にも損傷を与える危険性さえあるなどの問題があった。
【０００５】
この改善策としては、海底を自走できる装置が考えられるが、高価で複雑なものとなり勝ちである。
【考案の開示】
【考案が解決しようとする課題】
【０００６】
解決しようとする問題点は、従来の装置方法では海底を耕耘しようとするとき多様な土質に対応して耕耘深度が保てず、異物等に引掛り危険な点である。
【課題を解決するための手段】
【０００７】
本考案は、海底の土壌を、土質に関わらず効率よく安全に耕耘できることを特徴とする。
【考案の効果】
【０００８】
本考案の潟用海底耕耘装置は、耕耘掻き歯に凹状の円盤、所謂円盤ハローを用いこれを複数枚ハの字状に配置し、各々の円盤は自由に回転するよう設置した上でハの字型の頂点部分を牽引曳航することで、小さな牽引力で効率よく耕耘でき、ハの字型の頂点のなす内角を変化させることにより各々の円盤の進行方向に対する地盤との接触角度が変わり、抵抗が変化することにより耕耘深度を調整できる。
また、耕耘掻き歯に凹状の円盤、所謂円盤ハローを用いたことにより岩、塵埃等異物を乗り越え引っ掛かることがなく加えて、船舶等で曳航する時水深の変化で上下方向での牽引する角度が変わっても持ち上がりがなく地盤に対し水平に動き、効率よく危険性もなく耕耘できる。
【考案を実施するための最良の形態】
【０００９】
海底の多様な土質を効率よくかつ異物等に引っ掛かる危険性も無く船舶等で曳航牽引して耕耘するという目的を、円盤状の耕耘羽とその形状、配列方法で簡易に実現した。
【実施例１】
【００１０】
図１は、本考案装置の１実施例の平面図であって、１は、円盤ハローであり本実施例では同一のものを６枚各々自由に回転できるように軸受けを介して設置している。
【００１１】
２は牽引ロープ接続金具であり、３と４の支持金具をボルトにより接続している。この接続位置を変えることで装置全体の成す八の字型の頂点の内角即ち支持金具３の成す内角が変わり従って軸８の角度も変わって１の円盤ハローの進行方向に対する角度も変わる。
【００１２】
円盤ハロー単体の耕耘効果は陸上用の耕耘装置として広く用いられているので説明は省略する。
【００１３】
５は軸８の支持金具であり自由回転軸により軸８を支持している。
【００１４】
このように１の円盤ハローの進行方向に対する角度を変えることにより、地盤に応じた抵抗となり適当な耕耘深度を維持する効果がある。
【００１５】
図２のは、円盤ハロー部分の拡大平面図であり、６は円盤ハローで自由回転できるよう軸受けを介して軸７に取付けられ、本１実施例では直径に対し１０分の１程度の深さを持つ円弧形状である。８は円盤ハロー１が軸７上を横スライドするのを防ぐためのスペーサーである。
【００１６】
耕耘刃である円盤ハロー１が円盤であるため海底の異物に引っ掛かることはなく、曳航する最、水深の変化により海底と牽引ロープとの成す角度が変化しても持ち上がることはない。
【産業上の利用可能性】
【００１７】
本考案の潟用海底耕耘装置を漁船等で曳航し、海底の土壌を簡便に、土質に関わらず効率よく安全に耕耘できるので、悪化が懸念されている閉鎖的海域の土質の改善ひいては水質、環境全体の改善効果が期待できる。
【図面の簡単な説明】
【００１８】
【図１】潟用海底耕耘装置の実施方法を示した平面説明図である。（実施例１）
【図２】潟用海底耕耘装置の実施方法を示した拡大説明図である。（実施例２）
【符号の説明】
【００１９】
１    円盤ハロー
２    牽引金具角度変化装置付
３    支持金具
４    縦支持金具
５    軸支持金具
６    円盤ハロー及び回転軸受け
７    軸
８    スペーサー
【図１】
0003107436.tif 000003
【図２】
0003107436.tif 000004
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
砕土耕耘装置である円盤ハローにおいて、複数の円盤ハローの回転中心を通る軸の両端の保持金具を自由回転する軸受けとすることにより牽引の上下方向の角度を可変としかつ、適度な自重を持たせることにより、海底の土壌を、船舶等で水深等の変化に関わらず牽引し耕耘することを可能としたことを特徴とする潟用海底耕耘装置。
【請求項２】
請求項１記載の潟用海底耕耘装置において、円盤ハローを複数枚、牽引箇所を頂点とするハの字型に配置し、このハの字型を保持し且つ牽引力を伝達する支持金具をハの字型の頂点にある牽引金具の牽引方向に平行に複数穿った穴の一つにボルトにより取り付け、この取付ボルトの穴の位置を牽引方向前後に変えることにより、支持金具の成すハの字型の内角が変わり従って円盤ハローの牽引方向に対する角度が変わることによって、牽引に要する牽引力及び耕耘深度を調整することを可能としたことを特徴とする潟用海底耕耘装置。
【請求項３】
請求項１及び請求項２記載の潟用海底耕耘装置において、砕土耕耘刃を円盤ハロー複数枚で構成し、各々の円盤の凹部の曲率を適度に選択することにより、超軟弱な潟土海底でも適度な耕耘深度に保ち、沈み込みをなくしたことを特徴とする潟用海底耕耘装置。